(57)【要約】【課題】施工が容易で作業性がよく、止水性も良好であり、部品点数がより少なく構造が簡単な配管ボックスへの管状体と取付け構造を提供することにある。【解決手段】配管ボックスの管状体の取付け孔へ一端部に当該取付け孔よりも大径のフランジを有する短管状の受継手を前記配管ボックスの内側より挿入し、前記受継手の他端部へ抜け止め状に取り付けたスリーブ状のホルダにより、前記取付け孔の外周壁面へリング状のパッキンを押し付けたことを特徴としている。【選択図】      図１
2007262841.tif 000002
【特許請求の範囲】
【請求項１】
配管ボックスの管状体の取付け孔へ一端部に当該取付け孔よりも大径のフランジを有する短管状の受継手を前記配管ボックスの内側より挿入し、前記受継手の他端部へ抜け止め状に取り付けたスリーブ状のホルダにより、前記取付け孔の外周壁面へリング状のパッキンを押し付けたことを特徴とする配管ボックスへの管状体の取付け構造。
【請求項２】
前記受継手は、前記フランジと前記パッキンを保持した前記ホルダのフランジ状の保持部とで前記配管ボックスの壁を挟み付けた状態で前記取付け孔へ固定されていることを特徴とする、請求項１に記載の配管ボックスへの管状体の取付け構造。
【請求項３】
前記ホルダは、一端部へ前記受継手に取り付けるための接続部を有し他端部へ管又は管継手の一端部と接続される継手部を有することを特徴とする、請求項１又は２に記載の配管ボックスへの管状体の取付け構造。
【請求項４】
前記ホルダは前記受継手の他端部へねじ合わせにより取り付けられることを特徴とする、請求項１〜３のいずれかに記載の配管ボックスへの管状体の取付け構造。
【請求項５】
配管ボックスの管状体の取付け孔へ管の端部を挿入するとともに、当該管端部へ前記取付け孔よりも大径のフランジを有するベルマウスを前記配管ボックスの内側より抜け止め状に挿入し、前記配管ボックスの外側において前記管の外周面へ止水部材を介して抜け止め状に取り付けたスリーブ状のホルダにより、前記取付け孔の外周壁面へリング状のパッキンを押し付けたことを特徴とする配管ボックスへの管状体の取付け構造。
【請求項６】
前記ホルダは前記管の外周面へねじ合わせにより取り付けられ、前記管は、前記ベルマウスのフランジと前記パッキンを保持した前記ホルダのフランジ状の保持部とで前記配管ボックスの壁を挟み付けた状態で前記取付け孔へ固定されていることを特徴とする、請求項５に記載の配管ボックスへの管状体の取付け構造。
【請求項７】
前記パッキンは水膨張性ゴムパッキン又は水膨張性不織布であることを特徴とする、請求項１〜６のいずれかに記載の配管ボックスへの管状体の取付け構造。
【発明の詳細な説明】
【技術分野】
【０００１】
本発明は、一般的にはハンドホールやマンホール等の配管ボックスに形成された管状体の取付け孔へ受継手や管等の管状体を取り付けるための取付け構造に関するものである。
【背景技術】
【０００２】
配管ボックスは数百メートルの間隔を置いて設置され、配管ボックス相互の間にはケーブル等を通線するための多数の管が敷設されている。そしてこれらの管は、配管ボックスの壁や当該壁の固定板へ形成された取付け孔へ直接又は受継手を介して取り付けられ、配管ボックスへ連通される。
【０００３】
前記取付け孔へ管又は受継手等の管状体を取り付けるには、取付け孔へ管状体を挿入し、取付け孔の内周面と管状体の外周面との隙間を次のような手段により止水し固定している。
第１は、取付け孔の管状体との隙間にモルタル又はエポシキパテを詰めて管状体を固定する。
第２は、前記間隙に水膨潤性ゴムの止水環と水発泡性材料の止水環とを内外二重に挿入封止する（後記特許文献１要約）。
【０００４】
前記第１の手段によれば、狭い隙間にモルタルやエポシキパテを完全に詰める作業は容易でないばかりでなく、モルタルやエポシキパテを練る作業にも手間がかかるので、作業性が悪かった。
前記第２の手段は、具体的には以下のような作業手順による。すなわち、先ず水膨潤性ゴムを嵌め込んだ管の端部を配管ボックスの取付け孔へ外側から挿入し、位置決め後締め付けバンドで水膨潤性ゴムを固定する。配管ボックスの内側から水発泡材料を挿入した後、水を含浸させたスポンジを挿入して水発泡材料を発泡，固化せて管を固定し、さらに、水発泡材料の流出を防ぐため配管ボックスの内側からモルタルを詰める。このような作業を必要とするため、第２の手段は施工の作業性が極めて悪いほか、部品点数も多かった。
【特許文献１】特開平０９−３２４４３７号公報
【発明の開示】
【発明が解決しようとする課題】
【０００５】
本発明の解決課題は、配管ボックスへ止水性をもって管状体を取り付ける際の作業性の向上にあり、その目的は、施工が容易で止水性も良好であり、部品点数がより少なく構造が簡単な配管ボックスへの管状体と取付け構造を提供することにある。
【課題を解決するための手段】
【０００６】
本発明に係る配管ボックスへの管状体の取付け構造の一つは、前記課題を解決するため、
配管ボックスの管状体の取付け孔へ一端部に当該取付け孔よりも大径のフランジを有する短管状の受継手を前記配管ボックスの内側より挿入し、前記受継手の他端部へ抜け止め状に取り付けたスリーブ状のホルダにより、前記取付け孔の外周壁面へリング状のパッキンを押し付けたことを最も主要な特徴としている。
【０００７】
本発明に係る配管ボックスへの管状体の取付け構造の他の一つは、前記課題を解決するため、配管ボックスの管状体の取付け孔へ管の端部を挿入するとともに、当該管端部へ前記取付け孔よりも大径のフランジを有するベルマウスを前記配管ボックスの内側より抜け止め状に挿入し、前記配管ボックスの外側において前記管の外周面へ止水部材を介して抜け止め状に取り付けたスリーブ状のホルダにより、前記取付け孔の外周壁面へリング状のパッキンを押し付けたことを最も主要な特徴としている。
【発明の効果】
【０００８】
本発明に係る配管ボックスへの管状体の取付け構造の一つによれば、配管ボックスの取付け孔へ短管状の受継手を前記配管ボックスの内側より挿入し、前記受継手の他端部へスリーブ状のホルダを抜け止め状に取り付けると、当該ホルダにより前記取付け孔の外周壁面へパッキンが押し付けられ、同時に受継手（管状体）が前記取付け孔へ取り付けられるので、簡単にかつ作業性よく管状体を取付け孔へ取り付けることができる。
【０００９】
すなわち、前記ホルダでパッキンを取付け孔の外周壁面へ押し付けると、管状体である受継手は当該受継手のフランジとパッキンを介したホルダとにより、配管ボックスの壁を挟んだ状態で前記取付け孔に固定され、同時に取付け孔と受継手の外周面との間は当該取付け孔の外側で前記パッキンにより止水される。
また、部品点数が少なく構造がより簡単である。
【００１０】
本発明に係る配管ボックスへの管状体の取付け構造の他の一つによれば、配管ボックスの取付け孔へ管の端部を挿入するとともに、当該管端部へ前記取付け孔よりも大径のフランジを有するベルマウスを配管ボックスの内側より抜け止め状に挿入し、前記配管ボックスの外側において前記管の外周面へ止水部材を介してスリーブ状のホルダを取り付けると、前記取付け孔の外周壁面へリング状のパッキンが押し付けられ、同時に管が前記取付け孔へ取り付けられるので、簡単かつ作業性よく管状体（管）を取付け孔へ取り付けることができる。
【００１１】
すなわち、前記ホルダでパッキンを取付け孔の外周壁面へ押し付けると、管はベルマウスのフランジとパッキンを介したホルダとにより、配管ボックスの壁を挟んだ状態で前記取付け孔に固定され、同時に取付け孔と受継手の外周面との間は当該取付け孔の外側で前記パッキン及び止水部材により止水される。
また、部品点数が少なく構造もより簡単である。
【発明を実施するための最良の形態】
【００１２】
第１実施形態
図1は、本発明に係る取付け構造の第１実施形態を示す部分断面図である。
ハンドホール又はマンホール等の配管ボックス１の壁１０には、管状体である短管状の受継手２の外形よりもやや大径の取付け孔１１が形成されている。この取付け孔１１には、一端部にフランジ２０が形成された短管状の受継手２が配管ボックス１の内側から挿入される。
受継手２は硬質プラスチック製の螺旋波付管であり、前記取付け孔１１から配管ボックス１の外側へ突出した他端部には、硬質プラスチック製のスリーブ状のホルダ３が抜け止め状に取り付けられる。
【００１３】
このホルダ３には、取付け孔１１側の端部へ保持溝を有するフランジ状の保持部３２が形成され、この保持部３２へリング状のパッキン４が保持されている。したがって、当該ホルダ３の取付けにより、前記パッキン４が前記取付け孔１１の外端部を塞ぐ状態で外周壁面へ圧縮状態で押し付けられ、受継手２の外周面と取付け孔１１の内面との隙間が止水されると同時に受継手２が締付け状態で取付け孔１１に取り付けられる。
【００１４】
この実施形態において、スリーブ状のホルダ３は受継手２の突出した他端部へねじ合わせにより取り付けられているので、前記受継手２は、それ自身のフランジ２０と前記ホルダ３の保持部３２とで配管ボックス１の壁１０を挟み付け状態で取付け孔１１へ強固に固定される。
前記パッキン４は、一般に止水封止のために使用されるものであれば材質は問わないが、水膨張性ゴムパッキン又は水膨張性不織等の湿気の吸収により膨張する材質であることが作用上好ましい。
【００１５】
この実施形態におけるホルダ３は硬質プラスチックにより管継手を兼ねるように成形されており、前記受継手２の端部へ取り付けるための内面ねじを有する接続部３０と、管継手５又は管（ケーブル保護管）６の一端部と連結される継手部３１とを一体に有している。
この実施形態では、一端部の第１継手部５０と他端部の第２継手部５１とを有する管継手５の第１継手部５０が、以下のように前記ホルダ３の継手部３０へ連結される。すなわち、管継手５の第１継手部５０は、前記継手部３０に形成されている内面ねじと適合する螺旋波付状の継手部であり、その外周面へ止水材７を被着させた状態でホルダ３の継手部３０へねじ合わせにより連結される。
【００１６】
また、管継手５の螺旋波付状の第２継手部５１には、それに適合する螺旋波を有する螺旋波付の管６の端部が、同様な止水材７を介してねじ合わせにより連結される。
止水材７には、水膨張性止水材や高吸水性樹脂又は不織布・高級水性樹脂混合物が好ましく使用されるが、水膨張性不織不等その他湿気の吸収により膨張する水膨張性止水材であるのが作用上好ましい。また、これらの止水材７は、あらかじめ管継手５ないし管６の外周面へ被着されているのが好ましい。
【００１７】
第１実施形態の管状体の取付け構造によれば、以下のような効果を奏する。
第１に、一端部にフランジ２０を有する受継手２の他端端部を配管ボックス１の取付け孔１１へ挿入し、当該受継手２の他端部へリング状のパッキン４を保持したスリーブ状のホルダ３を取り付けることで、管状体である受継手２の取付け孔１１への取付けと両者間の封止が同時に行われるので、作業性がより向上する。
【００１８】
第２は、受継手２がそのフランジ２０とホルダ３のパッキン４を保持した保持部３２とにより配管ボックス１の壁１０を.挟み付け状態で固定され、併せてパッキン４の弾性が作用することから、当該受継手が取付け孔１１へより強固に固定される。例えば、何らかの原因により管状体である受継手２に配管ボックス１の外側上下方への負荷が加わった場合には、受継手２のフランジ２０が壁１０へ押付け状態で引っ掛かっているので、受継手２が取付け孔１１から外側へ抜け出るのを防止することができる。他方、種々の原因により受継手２に配管ボックス１の内側方向への負荷が加わった場合には、ホルダ３のフランジ状の保持部３２が配管ボックス１の外側壁面へ押付け状態で引っ掛かっているので、受継手２が取付け孔１１から内側へ抜けるのを防止することができる。
【００１９】
第３に、ホルダ３は受継手２への接続部３０のほかに間継手５や管６の端部を連結するための継手部３１を有するので、管６と配管ボックス１とを簡単に連結ないし連通することができる。
第４に、ホルダ３の継手部３１へ管継手５の第１継手部５０を連結する場合には、前述のように止水材７を介在させることにより、配管ボックス１内と外部との止水構造はより十分になる。
【００２０】
第２実施形態
図２は、本発明に係る取付け構造の第２実施形態を示す部分断面図である。
ホルダ３の接続部３０側の端部には、フランジ状の保持部３２の内側溝壁と一体に、取付け孔１１の内径とは外径が僅かに小さい環状突起３３を形成されている。
この環状突起３３は、受継手２のボックス外に突出した端部へホルダ３を取り付けるときのガイドとなり、当該取付け時に環状突起３３が取付け孔１１の外側から内部へ案内されることにより、取付け孔１１と受継手２及びホルダ３との三者の芯合わせを容易にすると同時に、取付け孔１１への受継手２の固定状態のさらなる安定が図られる。
【００２１】
図示のように、図１の管継手５を用いずに、ケーブル保護管等の管６の端部を前記のような止水材７を介してホルダ３の継手部３１へ連結している。
なお、ホルダ３の継手部３１には、第１実施形態の取付け構造と同様に管継手５を介して管６を連結することができる。
この実施形態の取付け構造の他の構成は作用効果は、第１実施形態のそれと同じであるのでそれらの説明は省略する。
【００２２】
第３実施形態
図３は本発明に係る取付け構造の第３実施形態を示す部分分解断面図である。
この実施形態の取付け構造では、ホルダ３は前記各実施形態のように管継手を兼ねる構成でなく、管状体である受継手２の配管ボックス１の取付け孔１１への取付け手段と、パッキン４による取付け孔１１と受継手２との隙間の止水補助手段との機能のみを有している。
したがって、受継手２のボックス１外側に突出した端部には、管継手５の第１継手部５０又は管６の端部が連結される。
【００２３】
この実施形態では、パッキン４が取付け孔１１の外側において受継手２の外周面と配管ボックス１の外壁面へ接触していることにより、取付け孔１１と受継手２の外周面との隙間を止水している。この止水構造ではなお不充分である場合には、受継手２の外周面とホルダ３の内周面との間に前記止水材７と同様の止水材を介在させるのが好ましい。
この実施形態に係る取付け構造の他の構成や作用効果は、第１実施形態のそれと同様であるのでそれらの説明は省略する。
【００２４】
第４実施形態
図４は本発明の第４実施形態に係る取付け構造の部分断面図である。
配管ボックス１の壁（又は管路の固定板）１０には、管状体であるケーブル保護管等の管６の外径よりもやや大きな内径の取付け孔１１が形成され、この取付け孔１１には螺旋波付状に成形された管６の端部が外側から挿入される。
取付け孔１１への管６の端部挿入前には、管６の端部外周へスリーブ状のホルダ３が前記実施形態におけるような止水材７を介してやや深め状に（管６端とホルダ３へ保持されているパッキン４までの距離が壁１０の厚みよりやや大きくなる状態に）ねじ合わせにより仮取付けけされる。
【００２５】
管６の端部には、配管ボックス１の内側から一端部へ取付け孔１１よりも大径のフランジ８０を有するベルマウス８が抜け止め状に挿入される。この実施形態では、ベルマウス８は管６の外面螺旋波と適合する内面螺旋波を有しているので、両者はねじ合わせにより結合される。この挿入後、ホルダ３を配管ボックス１の外壁面に向けてねじ締め、ホルダ３のフランジ状の保持部３２へ保持されているパッキン４を取付け孔１１の外側周面へ圧縮状に押し付ける。
【００２６】
この第４実施形態の取付け構造によれば、以下のような効果を奏する。
第１に、管６の端部を取付け孔１１へ配管ボックス１の外側から挿入した後、一端部にフランジ８０を有するベルマウス８の他端部を配管ボックス１の内側から管６へ抜け止め状に挿入し、当該管６の外周面へリング状のパッキン４を保持したスリーブ状のホルダ３を止水材７を介して取り付けることで、管６の取付け孔１１への取付けと取付け孔１１，管６端部外周面間の間隙の封止が同時に行われるので、作業性がより向上する。
【００２７】
第２は、管８がベルマウス８のフランジ８０とホルダ３のパッキン４を保持した保持部３２とにより配管ボックスの壁１０を.挟み付けた状態で固定され、併せてパッキン４の弾性が作用することから、当該管６が取付け孔１１へより完全かつ強固に固定される。管６へ種々の外力が作用した場合に、当該管６の配管ボックス１の外側への抜け動きや当該配管ボックス１の内側への抜け動きが有効に防止されることは、第１実施形態のものと同様である。
第４実施形態の取付け構造の他の構成や作用効果は、第１実施形態のものと同様であるのでそれらの説明は省略する。
【図面の簡単な説明】
【００２８】
【図１】本発明に係る配管ボックスへの管状体の取付け構造の第１実施形態を示す部分断面図である。
【図２】本発明に係る配管ボックスへの管状体の取付け構造の第２実施形態を示す部分断面図である。
【図３】本発明に係る配管ボックスへの管状体の取付け構造の第３実施形態を示す部分断面図である。
【図４】本発明に係る配管ボックスへの間状態の取り付け構造の第４実施形態を示す部分断面図である。
【符号の説明】
【００２９】
１  配管ブックス
１０  配管ボックスの壁
１１  壁の孔
２  受継手
２０，８０  フランジ
３  ホルダ
３０  接続部
３１  継手部
３２  保持部
４  パッキン
５  管継手
５０  第１継手部
５１  第２継手部
６  管
７  止水材
８  ベルマウス
【図１】
2007262841.tif 000003
【図２】
2007262841.tif 000004
【図３】
2007262841.tif 000005
【図４】
2007262841.tif 000006